(57)【要約】【課題】冷却ファンの停止時に外部から熱風が熱交換用のコアに侵入するおそれを防止できる冷却装置を提供する。【解決手段】空調用コンデンサ18は、熱交換用のコア19と、このコア19の一側に配置した電動式のコンデンサファン20と、コア19の他側に配置したルーバ型シャッタ21とを具備している。ルーバ型シャッタ21は、コンデンサファン20の作動と停止とに連動させて開閉制御部22により開閉制御する。開閉制御部22は、サーボモータの回動量を制御することで、運動変換器によりリンク28の直線運動量に変換し、リンク28の連動作用により、各ルーバ型シャッタ21の取付耳部24を軸部材26を支点に回動し、シャッタ本体部23の角度を制御する。【選択図】図１
2009068819.tif 000002
【特許請求の範囲】
【請求項１】
熱交換用のコアと、
コアの一側に配置された冷却ファンと、
コアの他側に配置された開閉可能なシャッタと、
冷却ファンの作動と停止とに連動させてシャッタを開閉制御する開閉制御部と
を具備したことを特徴とする冷却装置。
【請求項２】
シャッタは、回動可能なルーバ型シャッタであり、
開閉制御部は、
ルーバ型シャッタの角度を制御するサーボモータを備えた
ことを特徴とする請求項１記載の冷却装置。
【発明の詳細な説明】
【技術分野】
【０００１】
本発明は、冷却ファンを有する冷却装置に関する。
【背景技術】
【０００２】
エンジン直動型の冷却ファンを有する冷却装置では、流体の温度低下に応じて、熱交換器の冷却表面に向かう冷却流体の流れの中の流れ妨害有効面積を拡大して、冷却流体が熱交換器の冷却表面に当たることを低減させる流門装置を設けたものがある（例えば、特許文献１参照）。
【０００３】
一方、図７に示されるように、油圧ショベルの上部旋回体11上には、キャブ12および作業装置13の後方に、エンジン14、およびエンジン直動型のエンジンファン15により冷却されるラジエータなどのエンジンクーリングパッケージ16と、隔壁17で囲まれた空調用コンデンサ18が配置されている。
【０００４】
図８に示されるように、この空調用コンデンサ18は、熱交換用のコア19に電動式のコンデンサファン20が設けられている。
【０００５】
そして、エンジンクーリングパッケージ16より排出された排熱は、エンジンファン15によって、図７に矢印ａで示されるように機体の前方に流れる。空調の冷房運転中は、コンデンサファン20によって、図７に矢印ｂで示されるように空調用コンデンサ18から排熱される。
【０００６】
空調電源をオフにしたときのみでなく、自動運転中の温調、空調ユニット内の凍結防止などのために、空調の冷房機能が停止すると、コンデンサファン20は連動して停止する。このコンデンサファン20が停止すると、図７に矢印ａで示されるようにエンジン14を経て機体前方に排出された熱風の一部が、矢印ｃで示されるように空調用コンデンサ18のコア19を逆流透過して、機体後方のエンジンクーリングパッケージ16に吸込まれるように侵入するおそれがある。
【特許文献１】特開平５−６５８２３号公報（第１頁、図１）
【発明の開示】
【発明が解決しようとする課題】
【０００７】
このように、空調用コンデンサ18では、冷却ファンの停止時にエンジンからの熱風が熱交換用のコアに逆流するおそれがある。
【０００８】
本発明は、このような点に鑑みなされたもので、冷却ファンの停止時に外部から熱風が熱交換用のコアに侵入するおそれを防止できる冷却装置を提供することを目的とする。
【課題を解決するための手段】
【０００９】
請求項１に記載された発明は、熱交換用のコアと、コアの一側に配置された冷却ファンと、コアの他側に配置された開閉可能なシャッタと、冷却ファンの作動と停止とに連動させてシャッタを開閉制御する開閉制御部とを具備した冷却装置である。
【００１０】
請求項２に記載された発明は、請求項１記載の冷却装置におけるシャッタが、回動可能なルーバ型シャッタであり、開閉制御部は、ルーバ型シャッタの角度を制御するサーボモータを備えたものである。
【発明の効果】
【００１１】
請求項１に記載された発明によれば、コアの一側に冷却ファンが、他側に開閉可能なシャッタが配置され、冷却ファンの作動と停止とに連動させてシャッタを開閉制御部により開閉制御するので、冷却ファンの停止時にシャッタを閉じて、熱風が熱交換用のコアに侵入するおそれを確実に防止できる。
【００１２】
請求項２に記載された発明によれば、開閉制御部のサーボモータにより、ルーバ型シャッタの角度を制御するので、機体などによって外気吸込位置が異なる場合も、半開状態のルーバ型シャッタによって最適な吸込方向を制御可能であり、コアの冷却効率を向上できる。
【発明を実施するための最良の形態】
【００１３】
以下、本発明を、図１乃至図５に示された一実施の形態、図６に示された他の実施の形態を参照しながら詳細に説明する。
【００１４】
図１は、冷却装置としての空調用コンデンサ18を示し、この空調用コンデンサ18は、熱交換用のコア19と、このコア19の一側に配置された電動式の冷却ファンとしてのコンデンサファン20と、コア19の他側に配置された開閉可能なシャッタとしての回動可能なルーバ型シャッタ21と、コンデンサファン20の作動と停止とに連動させてルーバ型シャッタ21を開閉制御する開閉制御部22とを具備している。
【００１５】
ルーバ型シャッタ21は、シャッタ本体部23の一端部および他端部に３角形の取付耳部24がそれぞれ折曲形成されており、これらの取付耳部24の上部のうち折曲部近傍が、コア19の左右両側にそれぞれ取付けられる取付板25に、軸部材26により回動自在に軸支されている。
【００１６】
各ルーバ型シャッタ21の取付耳部24の先端部には、軸部材27により共通のリンク28が回動自在に連結されている。
【００１７】
開閉制御部22は、図２に示されるように、ルーバ型シャッタ21の角度を制御するサーボモータ31と、このサーボモータ31の出力軸32に嵌着されたレバー33と、このレバー33の正逆回転動作をリンク28の往復動作に変換する運動変換器34とを備えている。
【００１８】
サーボモータ31は、電流が供給されている間は動き、電流の供給を止めると動きを止め、＋と−を逆転させることで反転するので、レバー33を任意の角度位置に固定することができる。そして、このサーボモータ31の動きは、リンク28などを介してルーバ型シャッタ21に伝えられ、レバー33の回動量を制御することで、各ルーバ型シャッタ21の開閉と、外気の吸込方向の制御とが行われる。
【００１９】
運動変換器34としては、図２に示されたリンク型でもよいし、レバー33の先端部がリンク28の下部に水平に設けられたガイド（図示せず）と嵌合してスライドする図示されないスライダ型でもよい。
【００２０】
次に、図１および図２に示された実施の形態の作用効果を、図３乃至図５に基づき説明する。
【００２１】
開閉制御部22は、サーボモータ31の回動量を制御することで、レバー33の作動角度を制御し、運動変換器34を介してリンク28の直線運動量を制御し、リンク28の連動作用により、各ルーバ型シャッタ21の取付耳部24を軸部材26を支点に回動し、シャッタ本体部23の角度を制御する。
【００２２】
コンデンサファン20が停止する冷房機能のオフに連動させて、ルーバ型シャッタ21を図３に示されるように全閉状態に制御し、コンデンサファン20が作動する冷房機能のオンに連動させて、ルーバ型シャッタ21を図４に示されるように半開状態または図５に示されるように全開状態に制御する。
【００２３】
このように、コア19の一側にコンデンサファン20が、他側に開閉可能なルーバ型シャッタ21が配置され、コンデンサファン20の作動と停止とに連動させてルーバ型シャッタ21を開閉制御部22により開閉制御するので、コンデンサファン20の停止時にルーバ型シャッタ21を閉じて、熱風が熱交換用のコア19に侵入するおそれを防止できる。
【００２４】
すなわち、図７において、コンデンサファン20が停止したときに、エンジン室から機体の前方へ排出された熱風が、空調用コンデンサ18を経て、隣接のエンジンクーリングパッケージ16に巻き込まれることを、空調用コンデンサ18のルーバ型シャッタ21により防止できる。
【００２５】
また、サーボモータ31は、図４に示されるようにルーバ型シャッタ21の角度を任意に制御して、半開状態での角度固定も可能であり、機体によって外気吸込み位置が異なるため、半開状態のルーバ型シャッタ21によって最適な吸込み方向を制御することができる。
【００２６】
このように、開閉制御部22のサーボモータ31により、ルーバ型シャッタ21の角度を制御して外気の吸込方向を調整するので、機体などによって外気吸込位置が異なる場合も、半開状態のルーバ型シャッタ21によって最適な吸込方向を制御可能であり、コア19の冷却効率を向上できる。
【００２７】
要するに、ルーバ型シャッタ21の全閉機能により、機体内部への熱風侵入をなくすとともに、ルーバ型シャッタ21の角度制御機能により、コア19の冷却効率を向上できる。
【００２８】
次に、図６は、他の実施の形態を示し、ルーバ型シャッタ21自体に取付方向の制約はないため、吸込方向に応じて、コア19に対するルーバ型シャッタ21の組付方向を変更したものである。図１に示された実施の形態と同様の部分には、同一の符号を付して、その説明を省略する。
【００２９】
なお、リンク28は長いので、開閉制御部22はリンク28の最下部ではなく、リンク28の中央部に配置しても良い。また、単に開閉のみの制御でよければ、ルーバ型シャッタ21の替わりにスライド型のシャッタを用いても良い。
【００３０】
本発明は、油圧ショベルなどの作業機械の空調装置に適する冷却装置に利用可能である。
【図面の簡単な説明】
【００３１】
【図１】本発明に係る冷却装置の一実施の形態を示す分解斜視図である。
【図２】同上冷却装置の開閉制御部の正面図である。
【図３】同上冷却装置の全閉状態を示す斜視図である。
【図４】同上冷却装置の半開状態を示す斜視図である。
【図５】同上冷却装置の全開状態を示す斜視図である。
【図６】同上冷却装置の他の実施の形態を示す斜視図である。
【図７】油圧ショベルの上部旋回体上の機器配置構成を示す概略平面図である。
【図８】従来の空調用コンデンサの斜視図である。
【符号の説明】
【００３２】
18    冷却装置としての空調用コンデンサ
19    コア
20    冷却ファンとしてのコンデンサファン
21    シャッタとしてのルーバ型シャッタ
22    開閉制御部
31    サーボモータ
【図１】
2009068819.tif 000003
【図２】
2009068819.tif 000004
【図３】
2009068819.tif 000005
【図４】
2009068819.tif 000006
【図５】
2009068819.tif 000007
【図６】
2009068819.tif 000008
【図７】
2009068819.tif 000009
【図８】
2009068819.tif 000010